(57)【要約】【課題】コンクリート構造物に様々な形状の開口を形成可能であり、波形鋼板に対して様々な位置で固定可能な外皮材保持部材を提供する。【解決手段】端部保持部材１１は、本体２１と、止め具３１と、を備える。本体２１は、外筒２３と、スポーク部２４と、を備える。外筒２３は、屈曲スリーブ材を内側から保持する。スポーク部２４は、外筒２３の内側に配置されている。止め具３１は、スポーク部２４上を移動可能に設置される。また、止め具３１は、形成された取付孔５３においてデッキプレート６１と連結可能である。端部保持部材１１をデッキプレート６１に設置した後に本体２１の有する保持面２７に屈曲スリーブ材を巻き付ける。その後、デッキプレート６１の凹凸形状に応じて屈曲スリーブ材を切り取り、デッキプレート６１上に屈曲スリーブ材を設置する。【選択図】図２
2010285813.tif 000002
【特許請求の範囲】
【請求項１】
コンクリート構造物に開口部を形成するために外皮材とともに用いられる外皮材保持部材であって、
本体と、
前記本体を波形鋼板に固定するための固定部材と、
を備え、
前記本体は、
前記外皮材を内側から保持する外枠部と、
前記外枠部の内側に配置され、前記外枠部に対して相対移動不能に構成されている棒状体と、
を備え、
前記固定部材は、前記棒状体上を移動可能に設置されるとともに、
前記固定部材は、波形鋼板と接触可能な面を有し、その面に形成されている取付孔において前記波形鋼板と連結可能であることを特徴とする外皮材保持部材。
【請求項２】
請求項１に記載の外皮材保持部材であって、
前記固定部材は、前記棒状体に対して着脱可能であることを特徴とする外皮材保持部材。
【請求項３】
請求項１又は２に記載の外皮材保持部材であって、
前記棒状体は、前記外皮材保持部材の中央から放射状に形成されていることを特徴とする外皮材保持部材。
【請求項４】
請求項１から３までの何れか一項に記載の外皮材保持部材であって、
前記本体の中心部には、支持棒を挿入可能な貫通孔が形成されていることを特徴とする外皮材保持部材。
【請求項５】
請求項４に記載の外皮材保持部材であって、
前記本体は、前記外皮材の一端部を内側から保持しており、前記支持棒を取付可能な第１端部保持部材と、前記外皮材の他端部を内側から保持しており、前記支持棒を取付可能な第２端部保持部材と、の間に、前記支持棒によって支持することが可能であることを特徴とする外皮材保持部材。
【請求項６】
請求項１から５までの何れか一項に記載の外皮材保持部材と、
第２外皮材保持部材と、
前記外皮材保持部材と前記第２外皮材保持部材とを連結する支持棒と、
を備え、
前記第２外皮材保持部材は、
前記外皮材保持部材の前記本体と同一形状の本体を有していることを特徴とする外皮材保持部材連結体。
【請求項７】
請求項１から６までの何れか一項に記載の外皮材保持部材に巻き付けられる外皮材であって、
波状に成形された第１シートと、
前記第１シートの一側の面にのみ接合された平坦な第２シートと、
を備え、
前記第２シートを外側に向けた状態で、前記外皮材保持部材によって保持されることを特徴とする外皮材。
【請求項８】
取付孔を有する固定部材を使用して、外皮材保持部材を波形鋼板に取り付ける第１工程と、
前記外皮材保持部材の外周面に外皮材を巻き付ける第２工程と、
前記外皮材の取付予定位置における前記波形鋼板の形状に合致するように当該外皮材を切断する第３工程と、
前記外皮材を前記波形鋼板に近づくようにスライドさせて設置する第４工程と、
を含むことを特徴とするコンクリート構造物の開口部形成方法。
【発明の詳細な説明】
【技術分野】
【０００１】
本発明は、主要には、コンクリート構造物（例えば、コンクリートスラブ等）に配管等を貫通させるための開口部を形成する技術に関する。
【背景技術】
【０００２】
特許文献１は、コンクリート構造物に貫通孔を形成するための開口用コンクリート型枠を開示する。この開口用コンクリート型枠は、主要には、紙管からなる円筒体とそれを保持する取付座とを備えている。この取付座は釘穴を有し、スラブ用型枠板に釘止めで固定される。また、取付座は、外周面である環状周壁部に円筒体を嵌め込んで保持する構成になっている。この状態でコンクリートを流し込むことで貫通孔を形成することができる。
【０００３】
なお、特許文献１の構成では、円筒体は変形不能な構成となっているが、例えば特許文献２は、屈曲可能な平板を保持することで貫通孔を形成する構成を開示する。特許文献２に開示される平板は、一面が波形状であり他面が平坦である板として構成されている。その波形状の面を、歯付円板（歯車状の板）の周りに巻き付けることで平板を保持する構成になっている。
【先行技術文献】
【特許文献】
【０００４】
【特許文献１】実開平１−１７９９４８号公報
【特許文献２】実開昭６１−２０１４３９号公報
【発明の概要】
【発明が解決しようとする課題】
【０００５】
上記特許文献１の構成は、紙管が変形不能であるため、貫通孔の形状（例えば、貫通孔の断面の直径）に応じて異なる紙管を用いる必要があり、コスト上昇の原因となっていた。また、取付座の特定の部分（中央に釘穴がある場合は取付座の中央部）でしかスラブ用型枠板に取り付けることができなかった。そのため、取付可能な箇所が小さい波形鋼板等を型枠として用いた場合、所望の位置にコンクリート貫通孔を形成することが困難な場合があった。特に建築工事においては、波形鋼板上にコンクリートを打設して合成スラブを形成することが従来から良く行われているため、取付座の取付位置（即ち、開口部の位置）の自由度の高い構成が強く望まれていた。
【０００６】
また、特許文献２では、屈曲可能な平板を歯付円板に取り付ける方法が開示されるにとどまり、歯付円板を型枠板に取り付ける詳細な方法は開示されていない。
【０００７】
本発明は以上の事情に鑑みてされたものであり、その目的は、コンクリート構造物に様々な形状の開口部を形成可能であり、波形鋼板に対して様々な位置で固定可能な外皮材保持部材を提供することにある。
【課題を解決するための手段及び効果】
【０００８】
本発明の解決しようとする課題は以上の如くであり、次にこの課題を解決するための手段とその効果を説明する。
【０００９】
本発明の第１の観点によれば、コンクリート構造物に開口部を形成するために外皮材とともに用いられる外皮材保持部材において、以下の構成が提供される。即ち、この外皮材保持部材は、本体と、固定部材と、を備える。前記固定部材は、前記本体を波形鋼板に固定する。前記本体は、外枠部と、棒状体と、を備える。前記外枠部は、前記外皮材を内側から保持する。前記棒状体は、前記外枠部の内側に配置され、前記外枠部に対して相対移動不能に構成されている。前記固定部材は、前記棒状体上を移動可能に設置される。また、前記固定部材は、波形鋼板と接触可能な面を有し、その面に形成されている取付孔において前記波形鋼板と連結可能である。
【００１０】
これにより、外皮材保持部材は固定部材の取付孔で波形鋼板に固定可能な構成であるので、特殊な工具を使う必要がなく、狭い空間であっても容易に作業することができる。また、棒状体に対する固定部材の設置場所を変更できるので、取付可能な箇所が小さい波形鋼板に対しても、外皮材保持部材を自由な位置に設置することができる。
【００１１】
前記の外皮材保持部材においては、前記固定部材は、前記棒状体に対して着脱可能であることが好ましい。
【００１２】
これにより、固定部材が破損した場合においても本体を容易に再利用することができる。
【００１３】
前記の外皮材保持部材においては、前記棒状体は、前記外皮材保持部材の中央から放射状に形成されていることが好ましい。
【００１４】
これにより、本体に対する固定部材の設置場所のバリエーションを多くできるので、外皮材保持部材の設置場所の自由度を高めることができる。
【００１５】
前記の外皮材保持部材においては、前記本体の中心部には、支持棒を挿入可能な貫通孔が形成されていることが好ましい。
【００１６】
これにより、必要に応じて、支持棒を介して他の部材を支持することができる。また、貫通孔を位置決め孔として使用することで、外皮材保持部材を正確に配置することができる。
【００１７】
前記の外皮材保持部材においては、前記本体は、前記外皮材の一端部を内側から保持しており、前記支持棒を取付可能な第１端部保持部材と、前記外皮材の他端部を内側から保持しており、前記支持棒を取付可能な第２端部保持部材と、の間に、前記支持棒によって支持することが可能であることが好ましい。
【００１８】
これにより、本体を様々な用途に用いることができるので、コストを削減することができる。
【００１９】
本発明の第２の観点によれば、以下の構成の外皮材保持部材連結体が提供される。即ち、前記外皮材保持部材連結体は、前記の外皮材保持部材と、第２外皮材保持部材と、支持棒と、を備える。前記第２外皮材保持部材は、前記外皮材保持部材の前記本体と同一形状の本体を有している。前記支持棒は、前記外皮材保持部材と前記第２外皮材保持部材とを連結する。
【００２０】
これにより、コンクリート構造物に深い開口部を容易に形成することができる。
【００２１】
前記の外皮材においては、以下の構成とすることが好ましい。即ち、この外皮材は、波状に成形された第１シートと、平坦な第２シートと、を備える。前記第２シートは、前記第１シートの一側の面にのみ接合される。前記外皮材は、前記第２シートを外側に向けた状態で、前記外皮材保持部材によって保持される。
【００２２】
これにより、外皮材のスムーズな屈曲を実現できるので、外皮材保持部材に巻き付ける作業が容易である。また、コンクリートに開口部を形成した後、その内壁から外皮材を容易に剥離することができる。
【００２３】
本発明の第３の観点によれば、以下の工程を含む、コンクリート構造物の開口部形成方法が提供される。即ち、第１工程では、取付孔を有する固定部材を使用して、外皮材保持部材を波形鋼板に取り付ける。第２工程では、前記外皮材保持部材の外周面に外皮材を巻き付ける。第３工程では、前記外皮材の取付予定位置における前記波形鋼板の形状に合致するように当該外皮材を切断する。第４工程では、前記外皮材を前記波形鋼板に近づくようにスライドさせて設置する。
【００２４】
これにより、外皮材保持部材は固定部材の取付孔でコンクリート型枠材に固定するため、特殊な工具を使う必要がなく、狭い空間であっても容易に作業することができる。また、第３工程において、取付予定位置の形状を確認しながら外皮材を切断することができるので、外皮材の輪郭を波形鋼板の形状に良好に沿わせるようにして、当該外皮材を設置することができる。
【図面の簡単な説明】
【００２５】
【図１】本発明の一実施形態に係る端部保持部材の全体的な構成を示す斜視図。
【図２】端部保持部材をデッキプレートに固定する様子を示す斜視図。
【図３】端部保持部材に屈曲スリーブ材を巻き付ける様子を示す斜視図。
【図４】屈曲スリーブ材を切り取った様子を示す斜視図。
【図５】端部保持部材及び屈曲スリーブ材の設置が完了した様子を示す斜視図。
【図６】第２保持部材を端部保持部材に取り付けた様子を示す斜視図。
【図７】中間保持部材が使用される様子を示す斜視図。
【発明を実施するための形態】
【００２６】
次に、発明の実施の形態を説明する。図１は本発明の一実施形態に係る端部保持部材１１の全体的な構成を示す斜視図である。
【００２７】
図１等に示す端部保持部材（外皮材保持部材）１１は、床型枠材としてのデッキプレート（波形鋼板）の上側にコンクリートを打設して床スラブ（コンクリートスラブ）を形成するにあたって、当該床スラブに円形の開口部を形成するために用いられる。この端部保持部材１１は、図１に示すように、本体２１と、止め具（固定部材）３１と、を備える。
【００２８】
図１に示す本体２１は、中心筒２２と、外筒（外枠部）２３と、スポーク部（棒状体）２４と、を一体的に成形した構成になっている。
【００２９】
中心筒２２は円筒状であり、当該中心筒２２には、貫通孔が中心部を貫通するように形成されている。また、中心筒２２の外側には、円筒状に形成された外筒２３が配置されている。外筒２３の外周面には、後述の屈曲スリーブ材（外皮材）３２を保持可能な保持面２７が形成されている。
【００３０】
スポーク部２４は、中心筒２２と外筒２３とを繋ぐように直線状に形成されている。スポーク部２４は中心筒２２から放射状に延びるように形成され、等間隔で３本配置されている。スポーク部２４は外筒２３の内側に配置されるとともに、外筒２３及び中心筒２２と一体的に（即ち、外筒２３及び中心筒２２に対して相対移動不能に）固定されている。
【００３１】
このスポーク部２４には、止め具３１が取り付けられる。この止め具３１は、連結部５４と、この連結部５４に連続するＬ字状の取付部５５と、を有している。連結部５４は逆Ｕ字状に形成されており、スポーク部２４に上から掛けるようにして当該スポーク部２４に装着することができる。また、連結部５４の部分には引掛け爪５１が形成されており、この引掛け爪５１によって、連結部５４がスポーク部２４から容易に外れないようになっている。ただし、引掛け爪５１を外すように連結部５４を弾性変形させることで、止め具３１をスポーク部２４から容易に取り外すことができるようになっている。
【００３２】
本実施形態では、端部保持部材１１には止め具３１が２つ取り付けられており、３本のスポーク部２４のうちどの２本（又は１本）に対して止め具３１を配置するかを必要に応じて変更できる構成になっている。また、スポーク部２４に取り付けられた止め具３１は、スポーク部２４の長手方向に沿って適宜移動できるように構成されている。また、前記取付部５５の下面には平坦な接触面５２が形成されるとともに、当該取付部５５（接触面５２）には長孔状の取付孔５３が貫通状に形成されている。
【００３３】
図２に示すように、デッキプレート６１は、断面が波形となるように加工された幅広で帯状の鋼板であり、床スラブを形成するために用いられる。なお、デッキプレート６１には細長い凸部６２及び凹部６３が形成されているが、本実施形態では、凸部６２と凹部６３に跨る位置に開口部を形成する場合について説明する。
【００３４】
初めに、図２を参照して、端部保持部材１１をデッキプレート６１の上面に固定する工程について説明する。図２は、端部保持部材１１をデッキプレート６１に固定する様子を示す斜視図である。
【００３５】
作業者は、最初に、端部保持部材１１に２つの止め具３１を取り付ける。そして、デッキプレート６１上の開口部の形成予定箇所に端部保持部材１１の中心を位置させる。このとき、開口部の形成予定箇所の中心を示す目印がデッキプレート６１に付けられている場合は、中心筒２２の貫通孔を覗き、中心にその目印が見えるように端部保持部材１１を位置させることで、上記の位置決めを容易に行うことができる。なお、今回の説明では、端部保持部材１１は凸部６２と凹部６３に跨るように配置されるので、当該端部保持部材１１の一部はデッキプレート６１から浮いた形となる。
【００３６】
端部保持部材１１の心合わせが完了すると、２つの止め具３１を、その取付部５５（接触面５２）が凸部６２の上面に乗るように移動させる。この止め具３１の移動は、端部保持部材１１の中心位置を維持しながら回転させるとともに、止め具３１をスポーク部２４の長手方向に沿ってスライド移動させることで行うことができる。端部保持部材１１の固定に適した位置に止め具３１を移動させた後、止め具３１の取付孔５３にドリルネジ５６を差し込み、デッキプレート６１の凸部６２に捩じ込むことで止め具３１を固定する。
【００３７】
次に、図３を参照して、端部保持部材１１の周囲に屈曲スリーブ材３２を巻き付ける工程について説明する。図３は、端部保持部材１１に屈曲スリーブ材３２を巻き付ける様子を示す斜視図である。
【００３８】
この屈曲スリーブ材３２は、波形の第１シート４１の一側の面にのみ平坦な第２シート４２を固定（接合）した構成となっている。第１シート４１と第２シート４２の間には、細長い空洞が多数並べて形成される。屈曲スリーブ材３２はポリプロピレン等の合成樹脂で成形されており、鋏やカッタナイフ等を用いることで所望の大きさに切断することができる。また、両シート４１，４２は合成樹脂により可撓性を適宜持たせて構成されており、第１シート４１と第２シート４２とが接合されている部分においては良好に屈曲することができる。また、第１シート４１と第２シート４２とは多数の箇所で接合されているので、曲線に対してより良好に追従させるように滑らかに曲げることができる。
【００３９】
この屈曲スリーブ材３２を端部保持部材１１に巻き付けるときは、第１シート４１が内側を向くように屈曲させる。そして、端部保持部材１１の保持面２７に第１シート４１が沿うように屈曲スリーブ材３２を巻き付ける。最後に、屈曲スリーブ材３２の継ぎ目に図略の粘着テープを貼って端部同士を連結させる。このようにして、屈曲スリーブ材３２を、外筒２３とほぼ同等の径を持つ円筒状に成形することができる。
【００４０】
次に、図４を参照して、屈曲スリーブ材３２の下部を切断してデッキプレート６１に設置する工程を説明する。図４は、屈曲スリーブ材３２を切り取った様子を示す斜視図である。
【００４１】
即ち、今回の説明では、デッキプレート６１の凸部６２と凹部６３に跨るように端部保持部材１１が配置されるので、デッキプレート６１の凹凸形状に応じて屈曲スリーブ材３２の下部を切り取り、デッキプレート６１と屈曲スリーブ材３２との間に隙間が生じないようにする必要がある。
【００４２】
この方法としては、例えば、屈曲スリーブ材３２を凸部６２上に実際に配置した状態（図３の巻付けが完了した状態）で切り取る輪郭の見当をつけて、ペン等で目印を付けておく方法がある。その後、屈曲スリーブ材３２を端部保持部材１１から抜き取って、目印を付けた箇所を鋏やカッタナイフ等を用いることで切り離す。
【００４３】
上記の切断工程の後は、筒状の屈曲スリーブ材３２をデッキプレート６１上に再び配置し、切り抜いた形状がデッキプレート６１の形状に合致しているか（隙間等がないか）を判定する。屈曲スリーブ材３２の下縁の輪郭がデッキプレート６１の形状と良好に一致していれば、端部保持部材１１及び屈曲スリーブ材３２の設置が完了する。
【００４４】
図５には、端部保持部材１１及び屈曲スリーブ材３２の設置が完了した様子が斜視図として示されている。一方、屈曲スリーブ材３２の下縁の形状がデッキプレート６１の形状と合致していない場合は、余分な部分に目印を付けて再度切断する等して、下縁の形状を調整する。
【００４５】
そして、床スラブに形成される予定の他の開口部についても、同様に端部保持部材１１及び屈曲スリーブ材３２を設置する。その後、デッキプレート６１に生コンクリートを打設する。そして、コンクリートの硬化後、端部保持部材１１、屈曲スリーブ材３２等を取り外すことで、コンクリート部分に円状の開口部を形成することができる。そして、露出したデッキプレート６１の部分を適宜の方法で切断することで、床スラブに貫通孔を形成することができる。
【００４６】
なお、屈曲スリーブ材３２は、平坦な第２シート４２が外周側を向くように配置されているので、コンクリートとの境界に凹凸が生じない。従って、開口部の内面から屈曲スリーブ材３２を容易に剥離して取り除くことができる。
【００４７】
また、取り外した端部保持部材１１、屈曲スリーブ材３２等の部品は、原則的に繰り返して利用可能である。なお、止め具３１が折れたり引掛け爪５１が割れたりして使えなくなることも考えられるが、その場合は止め具３１をスポーク部２４から取り外して新しい止め具３１を用いることとすればよい。
【００４８】
なお、形成しようとする開口部の深さが大きい場合等においては、図６のような構成の第２保持部材（第２外皮材保持部材）１１ａを使用することで、生コンクリートの打込み時に生じる圧縮力に耐え得る構造とすることもできる。
【００４９】
この第２保持部材１１ａは、図６に示すように、端部保持部材１１の本体２１と同一の形状となっている。つまり、第２保持部材１１ａは、図６に示すように、中心筒２２と、外筒２３と、スポーク部２４と、を備える。そして、端部保持部材１１の中心筒２２と第２保持部材の中心筒２２とは、丸棒状のネジ棒（支持棒）３３によって連結されている。このように、端部保持部材１１と第２保持部材１１ａとが上下方向で連結されることで、保持部材連結体（外皮材保持部材連結体）７１が構成されている。
【００５０】
なお、ネジ棒３３には図示しないナットが取り付けられており、ネジ棒３３の上下方向の位置を調整したり、第２保持部材１１ａの高さを調整することができるようになっている。ただし、ネジ棒３３に代えて、例えば単なる丸棒を介して端部保持部材１１と第２保持部材１１ａとを連結することができる。
【００５１】
上記のようにして第２保持部材１１ａを端部保持部材１１の上方に配置し、屈曲スリーブ材３２を端部保持部材１１の保持面２７及び第２保持部材１１ａの保持面２７に沿うように設置する。屈曲スリーブ材３２の設置方法は、保持部材が端部保持部材１１のみの場合（図２の場合）と同様であるため、詳細な説明は省略する。
【００５２】
図６の構成では、円筒状の屈曲スリーブ材３２の内部に２つの保持部材１１，１１ａが配置されるので、生コンクリートの打設時に作用する圧縮力に対する強度が大きくなり、屈曲スリーブ材３２の円筒形状を確実に維持することができる。
【００５３】
また、上記本体２１は、図７に示すように、コンクリート構造物に横向きの貫通孔を形成する際に使用することもできる。図７は、中間保持部材１１ｂが使用される様子を示す斜視図である。図７の例では、本体２１が、屈曲スリーブ材３２の中間部を保持する中間保持部材（外皮材保持部材）として用いられている。
【００５４】
この中間保持部材１１ｂは、前述のとおり端部保持部材１１の本体２１と同一の形状に構成されており、中心筒２２と、外筒２３と、スポーク部２４と、を備える。そして、中間保持部材１１ｂの中心筒２２と、その横方向の端部に固定されている一対の端部保持部材（第１端部保持部材、第２端部保持部材）９１の中心筒９２とは、ネジ棒９６によって連結された構成になっている。
【００５５】
この一対の端部保持部材９１は、取付板９３と、押え部材９４と、を備えている。それぞれの取付板９３はベニア板製の型枠材９５に対して画鋲によって取り付けられるとともに、当該取付板９３には押え部材９４が固定されている。押え部材９４はネジ棒９６を支持可能に構成されている。この構成で、ネジ棒９６の両端を一対の端部保持部材９１の押え部材９４に支持させ、ネジ棒９６上のナット９７を回転させることで、ネジ棒９６の突張りにより端部保持部材９１を型枠材９５側へ押し付けることができる。次に、端部保持部材９１が有する環状の差込溝９８に屈曲スリーブ材３２を差し込むことで円筒状に成形することができる。
【００５６】
このように、端部保持部材９１の間に中間保持部材１１ｂを用いることで、屈曲スリーブ材３２の円筒形状の内部に３つの保持部材が配置されるレイアウトとなる。そのため、生コンクリートの打設時に作用する圧縮力に対する強度が大きくなり、屈曲スリーブ材３２の円筒形状を確実に維持することができる。なお、図７の例では横向きの貫通孔を形成する場合について説明しているが、縦向きの貫通孔を形成する場合でも図７の構成を適用することができる。
【００５７】
以上に説明したように、本実施形態の端部保持部材１１は、本体２１と、止め具３１と、を備える。止め具３１は、本体２１をデッキプレート６１に固定する。本体２１は、外筒２３と、スポーク部２４と、を備える。外筒２３は、屈曲スリーブ材３２を内側から保持する。スポーク部２４は、外筒２３の内側に配置され、外筒２３に対して相対移動不能に構成されている。止め具３１は、スポーク部２４上を移動可能に設置される。また、止め具３１は、デッキプレート６１と接触可能な接触面５２を有し、その接触面５２に形成されている取付孔５３においてデッキプレート６１と連結可能である。
【００５８】
これにより、端部保持部材１１は止め具３１の取付孔５３でデッキプレート６１に固定可能な構成であるので、特殊な工具を使う必要がなく、狭い空間であっても容易に作業することができる。また、スポーク部２４に対する止め具３１の設置場所を変更できるので、取付可能な箇所が小さいデッキプレート６１に対しても、端部保持部材１１を自由な位置に設置することができる。
【００５９】
また、本実施形態の端部保持部材１１においては、止め具３１はスポーク部２４に対して着脱可能である。
【００６０】
これにより、止め具３１が破損した場合においても本体２１を容易に再利用することができる。
【００６１】
また、本実施形態の端部保持部材１１においては、スポーク部２４は、端部保持部材１１の中央から放射状に形成されている。
【００６２】
これにより、本体２１に対する止め具３１の設置場所のバリエーションを多くできるので、端部保持部材１１の設置場所の自由度を高めることができる。
【００６３】
また、本実施形態の端部保持部材１１においては、本体２１の中心部（中心筒２２）には、ネジ棒３３を挿入可能な貫通孔が形成されている。
【００６４】
これにより、ネジ棒３３を介して第２保持部材１１ａ又は中間保持部材１１ｂを支持することができる。また、中心筒２２の貫通孔を位置決め孔として使用することで、端部保持部材１１を正確に配置することができる。
【００６５】
また、本実施形態の中間保持部材１１ｂは、屈曲スリーブ材３２を内側から保持しており、ネジ棒３３を中心筒９２に取付可能な一対の端部保持部材９１の間に、ネジ棒３３によって支持することが可能である。
【００６６】
これにより、本体２１を中間保持部材１１ｂとしても用いることができるので、コストを削減することができる。
【００６７】
また、本実施形態の保持部材連結体７１は、端部保持部材１１と、第２保持部材１１ａと、ネジ棒３３と、を備える。第２保持部材１１ａは、端部保持部材１１の本体２１と同一形状の本体２１を有している。ネジ棒３３は、端部保持部材１１と第２保持部材１１ａとを連結する。
【００６８】
これにより、コンクリート構造物に深い開口部を簡単に形成することができる。
【００６９】
また、本実施形態の屈曲スリーブ材３２は、波状に成形された第１シート４１と、平坦な第２シート４２と、を備える。第２シート４２は、第１シート４１の一側の面にのみ接合される。屈曲スリーブ材３２は、第２シート４２を外側に向けた状態で、端部保持部材１１によって保持される。
【００７０】
これにより、屈曲スリーブ材３２のスムーズな屈曲を実現できるので、端部保持部材１１に巻き付ける作業が容易である。また、コンクリートに中心筒２２を形成した後、その内壁から屈曲スリーブ材３２を容易に剥離することができる。
【００７１】
以上に本発明の好適な実施の形態を説明したが、上記の構成は例えば以下のように変更することができる。
【００７２】
上記実施形態においては、本体２１は各部（中心筒２２、外筒２３、スポーク部２４）が一体的に成形された構成であるが、本体２１の各部を個別に成形し、互いに固定する構成に変更することができる。
【００７３】
上記実施形態では、スポーク部２４は３本が等間隔で放射状に配置されているが、この本数及び配置に限定されず、本数を例えば４本以上としたり、棒状の部材を平行に複数配置したりすることができる。
【００７４】
また、止め具３１の個数も２個に限定されず、例えば３個以上備える構成にすることができる。特に、上記のスポーク部２４の本数及び配置パターンに応じて止め具３１の個数を変更することは有益である。
【００７５】
上記実施形態では、保持部材連結体７１は第２保持部材１１ａを１つ備えている構成であるが、開口部の形状等に応じて、例えば２つ又は３つ以上備える構成にすることができる。
【符号の説明】
【００７６】
１１  端部保持部材（外皮材保持部材）
１１ａ  第２保持部材（第２外皮材保持部材）
１１ｂ  中間保持部材（外皮材保持部材）
２１  本体
２２  中心筒  
２３  外筒（外枠部）
２４  スポーク部（棒状体）
３１  止め具（固定部材）
３２  屈曲スリーブ材（外皮材）
３３  ネジ棒（支持棒）
６１  デッキプレート（波形鋼板）
【図１】
2010285813.tif 000003
【図２】
2010285813.tif 000004
【図３】
2010285813.tif 000005
【図４】
2010285813.tif 000006
【図５】
2010285813.tif 000007
【図６】
2010285813.tif 000008
【図７】
2010285813.tif 000009
【手続補正書】
【提出日】平成21年8月21日(2009.8.21)
【手続補正１】
【補正対象書類名】明細書
【補正対象項目名】００２３
【補正方法】変更
【補正の内容】
【００２３】
本発明の第３の観点によれば、以下の工程を含む、コンクリート構造物の開口部形成方法が提供される。即ち、第１工程では、波形鋼板上における開口部の形成予定箇所に外皮材保持部材を位置させる。第２工程では、前記外皮材保持部材が備える棒状体上を移動可能に構成される固定部材の、当該棒状体上における位置を定める。第３工程では、前記固定部材が有する面であって前記固定部材と前記波形鋼板とが接触している面に形成されている取付孔を使用して、前記固定部材を介して前記外皮材保持部材を前記波形鋼板に取り付ける。第４工程では、前記外皮材保持部材の外周面に外皮材を巻き付ける。第５工程では、前記外皮材の取付予定位置における前記波形鋼板の形状に合致するように当該外皮材を切断する。第６工程では、前記外皮材を前記波形鋼板に近づくようにスライドさせて設置する。
【手続補正２】
【補正対象書類名】明細書
【補正対象項目名】００２４
【補正方法】変更
【補正の内容】
【００２４】
これにより、外皮材保持部材は、固定部材の取付孔でコンクリート型枠材に固定するため、特殊な工具を使う必要がなく、狭い空間であっても容易に作業することができる。また、棒状体に対する固定部材の設置場所を変更できるので、取付可能な箇所が小さい波形鋼板に対しても、開口部の形成予定箇所に外皮材保持部材を設置することができる。また、第５工程において、取付予定位置の形状を確認しながら外皮材を切断することができるので、外皮材の輪郭を波形鋼板の形状に良好に沿わせるようにして、当該外皮材を設置することができる。
【手続補正３】
【補正対象書類名】特許請求の範囲
【補正対象項目名】請求項８
【補正方法】変更
【補正の内容】
【請求項８】
波形鋼板上における開口部の形成予定箇所に外皮材保持部材を位置させる第１工程と、
前記外皮材保持部材が備える棒状体上を移動可能に構成される固定部材の、当該棒状体上における位置を定める第２工程と、
前記固定部材が有する面であって前記固定部材と前記波形鋼板とが接触している面に形成されている取付孔を使用して、前記固定部材を介して前記外皮材保持部材を前記波形鋼板に取り付ける第３工程と、
前記外皮材保持部材の外周面に外皮材を巻き付ける第４工程と、
前記外皮材の取付予定位置における前記波形鋼板の形状に合致するように当該外皮材を切断する第５工程と、
前記外皮材を前記波形鋼板に近づくようにスライドさせて設置する第６工程と、
を含むことを特徴とするコンクリート構造物の開口部形成方法。
【手続補正書】
【提出日】平成21年9月24日(2009.9.24)
【手続補正１】
【補正対象書類名】明細書
【補正対象項目名】００２３
【補正方法】削除
【補正の内容】
【手続補正２】
【補正対象書類名】明細書
【補正対象項目名】００２４
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
コンクリート構造物に開口部を形成するために外皮材とともに用いられる外皮材保持部材であって、
本体と、
前記本体を波形鋼板に固定するための固定部材と、
を備え、
前記本体は、
前記外皮材を内側から保持する外枠部と、
前記外枠部の内側に配置され、前記外枠部に対して相対移動不能に構成されている棒状体と、
を備え、
前記固定部材は、前記棒状体上を移動可能に設置されるとともに、
前記固定部材は、波形鋼板と接触可能な面を有し、その面に形成されている取付孔において前記波形鋼板と連結可能であることを特徴とする外皮材保持部材。
【請求項２】
請求項１に記載の外皮材保持部材であって、
前記固定部材は、前記棒状体に対して着脱可能であることを特徴とする外皮材保持部材。
【請求項３】
請求項１又は２に記載の外皮材保持部材であって、
前記棒状体は、前記外皮材保持部材の中央から放射状に形成されていることを特徴とする外皮材保持部材。
【請求項４】
請求項１から３までの何れか一項に記載の外皮材保持部材であって、
前記本体の中心部には、支持棒を挿入可能な貫通孔が形成されていることを特徴とする外皮材保持部材。
【請求項５】
請求項４に記載の外皮材保持部材であって、
前記本体は、前記外皮材の一端部を内側から保持しており、前記支持棒を取付可能な第１端部保持部材と、前記外皮材の他端部を内側から保持しており、前記支持棒を取付可能な第２端部保持部材と、の間に、前記支持棒によって支持することが可能であることを特徴とする外皮材保持部材。
【請求項６】
請求項１から５までの何れか一項に記載の外皮材保持部材と、
第２外皮材保持部材と、
前記外皮材保持部材と前記第２外皮材保持部材とを連結する支持棒と、
を備え、
前記第２外皮材保持部材は、
前記外皮材保持部材の前記本体と同一形状の本体を有していることを特徴とする外皮材保持部材連結体。
【請求項７】
請求項１から６までの何れか一項に記載の外皮材保持部材に巻き付けられる外皮材であって、
波状に成形された第１シートと、
前記第１シートの一側の面にのみ接合された平坦な第２シートと、
を備え、
前記第２シートを外側に向けた状態で、前記外皮材保持部材によって保持されることを特徴とする外皮材。